(57)【要約】【課題】組立作業性の向上と、フレキシブル基板の湾曲で生じるコネクタやフレキシブル基板への応力の軽減化とを図った縦型コネクタを提供する。【解決手段】縦型コネクタ１は、接触子２１を植設したハウジング２と、側断面略テーパ状の基板挿入口３２を有したアクチュエータ３と、傾き保持機構４とを具備する。また、アクチュエータ３の側面３ａには第１突起部５１，第２突起部５２が設けてあり、この間に傾き保持機構４のアーム部４２た介在する。もって、アクチュエータ３を傾けると、傾き保持機構４の係止部４３に第１突起部５１が当接して、アクチュエータ３の傾斜角度が規制され、この傾いたアクチュエータ３と上記テーパ状の基板挿入口３２によってフレキシブル基板の挿入作業を容易にした。【選択図】      図５
2005005210.tif 000002
【特許請求の範囲】
【請求項１】
上方に開口し、この開口側を向いて起立した接触部が前方に位置すると共に後方にガイド部を備えていて該接触部に対向する接触子を収納したハウジングと、
上記開口を介してハウジングに遊嵌され、上方に拡開した側断面略テーパ状の基板挿入口，及びこの基板挿入口の後面に連なり且つ上記接触子の接触部側に対向し得る押圧面，並びにその背面に前記ガイド部に対面し得るカム部を有したアクチュエータと、
起立部とこの起立部の上部から後方に略水平に延出したアーム部を有し且つこのアーム部の上面前位に係止部が突設された補助部材を、上記ハウジングの両側部にそれぞれ取り付けると共に、この補助部材の上記アーム部の上方に突出した第１突起部と下方に突出した第２突起部とを、上記アクチュエータの両側面にそれぞれ突設してなる傾き保持機構と
を具備することを特徴とする縦型コネクタ。
【請求項２】
請求項１に記載の縦型コネクタにおいて、
上記アクチュエータの操作部は、前記基板挿入口の後面に滑らかに連なり且つフレキシブル基板の幅に合わせて立設された一対の側壁に区画された平面部を備えたことを特徴とする縦型コネクタ。
【請求項３】
請求項１または請求項２に記載の縦型コネクタにおいて、
上記カム部は、上記押圧面としての前面部と、後方にせり上がる下面部と、この下面部に角部を介して連続した後面部と、前方にせり上がる上面部とを有し、
上記ガイド部は、上記カム部の上面部に当接する当接部と、この当接部の下側に形成され下方に至るにしたがって前方に突出し且つ上記アクチュエータを前方に傾けた状態から垂直状態に戻す際に上記カム部の角部が摺動して頂部を乗り越える傾斜部とを有する、
ことを特徴とする縦型コネクタ。
【発明の詳細な説明】
【０００１】
【発明の属する技術分野】
この発明は、縦型コネクタに関し、特に、フレキシブル基板を縦方向から受け入れる無挿抜方式（ＺＩＦタイプ）の縦型コネクタに関するものである。
【０００２】
【従来の技術】
従来、この種の縦型コネクタとしては、例えば特許文献１に記載された技術がある。
図７は、この従来の縦型コネクタを示す断面図である。
図７に示すように、この縦型コネクタは、ハウジング１００の右側上方に開口部１０１があり、その左側に、アクチュエータ１１０が回動自在に支承されている。かかる構造により、アクチュエータ１１０を転倒させ、開口部１０１を大きく開くことで、フレキシブル基板Ｆをこの開口部１０１に図の縦方向から、即ち垂直方向からに挿入することができる。かかる状態で、アクチュエータ１１０を直立位置まで回動させ、アクチュエータ１１０の圧縮部１１１でフレキシブル基板Ｆをコンタクタ１２０の接触部１２１に押圧することにより、フレキシブル基板Ｆとコンタクタ１２０とを電気的に接続することができるようになっている。なお、図中、符号Ｐは回路基板であり、テール１２２を介してコンタクタ１２０を回路基板Ｐに接続している。また、この縦型コネクタでは、この縦型コネクタを回路基板Ｐ上にロボット搬送するのに適した吸着面１１２がアクチュエータ１１０に用意されている。
【０００３】
【特許文献１】
特開平８−１９５２５６号公報
【０００４】
【発明が解決しようとする課題】
しかし、上記した従来の縦型コネクタでは、次のような問題がある。
この縦型コネクタでは、フレキシブル基板Ｆを開口部１０１に垂直方向から挿入し、アクチュエータ１１０でコンタクタ１２０に押圧して、電気的接続を達成する構造であるので、接続の際、フレキシブル基板ＦがＵ字状に或いはＶ字状に這い回されることが多い。このため、フレキシブル基板Ｆの縦型コネクタへの組み込み時の作業性が悪く、しかも、回路基板に取り付けられた縦型コネクタに無理な力を与え勝ちである。
すなわち、通常、フレキシブル基板Ｆの一端が他の回路基板や他のコネクタに連結され、他端がこの縦型コネクタに連なる訳であるが、同じ様に、上方に開口部１０１を向けて設置された縦型コネクタ同士の間をフレキシブル基板Ｆが連絡する場合には、はじめに一方の縦型コネクタにフレキシブル基板Ｆの一端を固定した後、他方の縦型コネクタに他端を連結する。このため、一方の縦型コネクタに連なって垂直に立ち上がっているフレキシブル基板Ｆが、先ず水平方向に９０゜、そして下方に９０゜、つまりＵ字状に１８０゜湾曲させられて、他方の縦型コネクタの開口部１０１に挿入されることになる。
また、フレキシブル基板Ｆの一端が横型コネクタに連結されていて、その他端が水平方向に伸びている場合には、フレキシブル基板Ｆを、先ず垂直方向に９０゜、次に水平方向に９０゜、そして下方に９０゜、つまりＶ字状に２７０゜に湾曲させなければ、縦型コネクタへ接続することはできない（逆の手順で組み込んでも、フレキシブル基板Ｆを同じように２７０゜湾曲させる必要である）。
フレキシブル基板Ｆはその名の通り十分にフレキシビリティーを有しているものの、電子機器の小型化に伴って、コネクタも更に小型化され、しかも、それらの取付間隔が狭まって来ると、いよいよ組み立て時の作業性が悪くなり、またフレキシブル基板Ｆやコネクタへの応力も過大になり、耐久性にも問題が生じる。
【０００５】
この発明は上述した課題を解決するためになされたもので、組立作業性の向上と、フレキシブル基板の湾曲で生じるコネクタやフレキシブル基板への応力の軽減化とを図った縦型コネクタを提供することを目的とするものである。
【０００６】
【課題を解決するための手段】
上記課題を解決するために、請求項１の発明に係る縦型コネクタは、上方に開口し、この開口側を向いて起立した接触部が前方に位置すると共に後方にガイド部を備えていて該接触部に対向する接触子を収納したハウジングと、開口を介してハウジングに遊嵌され、上方に拡開した側断面略テーパ状の基板挿入口，及びこの基板挿入口の後面に連なり且つ接触子の接触部側に対向し得る押圧面，並びにその背面に前記ガイド部に対向し得るカム部を有したアクチュエータと、起立部とこの起立部の上部から後方に略水平に延出したアーム部を有し且つこのアーム部の上面前位に係止部が突設された補助部材を、ハウジングの両側部にそれぞれ取り付けると共に、この補助部材のアーム部の上方に突出した第１突起部と下方に突出した第２突起部とを、アクチュエータの両側面にそれぞれ突設してなる傾き保持機構とを具備する構成とした。
かかる構成により、ハウジングに遊嵌されたアクチュエータを前方に傾けた際、アクチュエータの側面に突設された第１突起部がアーム部の係止部に当たり、それ以上の前方への回動が阻止され、アクチュエータの傾きが規制される。すなわち、アクチュエータを傾けると、傾き保持機構によってその傾き状態が保持される。したがって、傾いたアクチュエータの基板挿入口からフレキシブル基板を容易に挿入することができる。そして、挿入後は、フレキシブル基板が前方に傾いた押圧面の前に位置する。かかる状態で、アクチュエータを戻すと、押圧面が戻る際にフレキシブル基板を押圧して、接触子の接触部に圧接させる。
【０００７】
また、請求項２の発明は、請求項１に記載の縦型コネクタにおいて、アクチュエータの操作部に、基板挿入口の後面に滑らかに連なり且つフレキシブル基板の幅に併せて立設された一対の側壁に区画された平面部を設け、以ってフレキシブル基板の挿入に当たってその先端を該平面部に当接させつつ滑らせることによって極めて容易に上記挿入口に落とし込める構造とした。
また、請求項３の発明は、請求項１又は請求項２に記載の縦型コネクタにおいて、カム部は、押圧面としての前面部と、後方にせり上がる下面部と、この下面部に角部を介して連続した後面部と、前方にせり上がる上面部とを有し、ガイド部は、カム部の上面部に当接する当接部と、この当接部の下側に形成され下方に至るにしたがって前方に突出し且つアクチュエータを前方に傾けた状態から垂直状態に戻す際にカム部の角部が摺動して頂部を乗り越える傾斜部とを有する構成とした。
【０００８】
【発明の実施の形態】
以下、この発明の実施の形態について図面を参照して説明する。
図１は、この発明の一実施形態に係る縦型コネクタの斜視図であり、図２は図１の矢視Ａ−Ａ断面図であり、図３は図１の矢視Ｂ−Ｂ断面図である。
図１に示すように、この縦型コネクタ１は、ハウジング２とアクチュエータ３と傾き保持機構４とを具備している。
【０００９】
ハウジング２は、図２に示すように、上方（図の上方）に開口する開口部２０を有した箱体であり、その内部に、複数の接触子２１を収納している。
【００１０】
接触子２１は、前方（図の左方）に位置する接触部２２と、この接触部２２と所定間隔を置いて向き合うように立設されたガイド部２３と、テール部２９とを有し、下方から上方に向けてハウジング２内に形成された縦溝２ａに圧入されている。
【００１１】
接触部２２は、開口部２０側を向いて起立しており、その自由端には、フレキシブル基板Ｆと接触させるための突部２２ａが突設されている。
【００１２】
一方、ガイド部２３には、当接部２５と傾斜部２６とが形成されている。
当接部２５は、ガイド部２３の上部から前方に水平に延出した部分であり、その突部２５ａを介して後述するカム部３３と当接する機能を有する。
また、傾斜部２６は、当接部２５の下側に形成されており、下方に行くにしたがって前方に突出するスロープ状をなしている。そして、その頂部２７は接触部２２の突部２２ａより若干下方の位置に設定されている。
【００１３】
テール部２９は、ハウジング２の外部後方に露出されており、図示しない回路基板に半田付けされる部分である。
【００１４】
アクチュエータ３は、略水平な操作部３０とこの操作部３０に対して略垂直な挿入部３１とで構成され、挿入部３１が開口部２０を介してハウジング２内に遊嵌されている。
【００１５】
操作部３０は、作業者が手で摘んでアクチュエータ３全体を回動させる部分であり、その前部に基板挿入口３２が形成されている。
基板挿入口３２は、フレキシブル基板Ｆを挿入するための開口である。この基板挿入口３２は、上方に拡開した前面３２ａ及び平面部３２ｃと滑らかにつながる後面３２ｂを有して側断面略テーパ状をなし、その下方狭部にフレキシブル基板Ｆの厚さより若干広い幅のスリット３１ｃが形成されている。上記平面部３２ｃは、ロボット搬送時に吸着面となり得る一段低くなった平面であって、両サイドの側壁３２ｄと共に、フレキシブル基板Ｆを基板挿入口３２に落とし込む際のガイドの役割をなすものである。即ち、側壁３２ｄ間の幅は、フレキシブル基板Ｆのそれに対応している。
【００１６】
一方、挿入部３１は、挿入されたフレキシブル基板Ｆと接触部２２との電気的接続を可能にするための部分であり、接触部２２とガイド部２３との間に遊嵌されたカム部３３を有している。
【００１７】
カム部３３は、押圧面としての前面部３４と、後方（図の右方）にせり上がる下面部３５と、この下面部３５に角部３６を介して連続した後面部３７と、前方に湾曲してせり上がる上面部３８とをその表面に有している。
前面部３４は、基板挿入口３２の後面３２ｂに連なる平面であり、接触子２１の接触部２２側を向いている。なお、この前面部３４と基板挿入口３２の後面３２ｂとの間には、当接部２５との干渉を避けるための孔３ｃが設けられている。
【００１８】
このような形状のカム部３３は、図２に示すように、上面部３８をガイド部２３の当接部２５の突部２５ａに当接させると共に、角部３６が頂部２７を乗り越えて後面部３７が頂部２７に乗り上げた状態でハウジング２内で垂直に安定した状態を保持しており、アクチュエータ３の反時計方向回動に伴って、上面部３８が突部２５ａと当接した状態で摺動すると共に角部３６が傾斜部２６上を摺動する。具体的には、アクチュエータ３を前方に傾けた状態から垂直状態に戻すと、図２に示すように、カム部３３の角部３６が傾斜部２６上を摺動してその後面部３７が頂部２７に乗り上がる。したがって、アクチュエータ３の挙動は、上面部３８と突部２５ａとの接触及び角部３６もしくは後面部３７と傾斜部２６又は頂部２７との接触によって規制される。
【００１９】
図１に示す傾き保持機構４は、アクチュエータ３の傾きを保持あるいはハウジング２からの抜けを防止するための機構であり、図３に示すように、補助部材としての補助金具４０とアクチュエータ３に形成した第１及び第２突起部５１，５２とで構成される。
【００２０】
補助金具４０は、ハウジング２の両側部２ｂ，２ｂ（図１参照）にそれぞれ装着されている。
具体的には、図３に示す如く、起立部４１が前方個所に垂直に形成され、アーム部４２がこの起立部４１の上部から後方に略水平に延出している。また、このアーム部４２の上面前位には、係止部４３が突設されている。そして、この係止部４３の後面４３ａが、所定角度で前方にせり上がる傾斜面になっている。
このような補助金具４０は、基部から後方に延出した取付部４４をハウジング２の側部２ｂに穿設された横溝２ｃ内に圧入することで、ハウジング２に装着される。また、補助金具４０には、基部から側方に折り曲げ形成されたテール部４５が設けられ、このテール部４５を介して、縦型コネクタ１を図示しない上記回路基板に固定することができるようになっている。
【００２１】
一方、第１及び第２突起部５１，５２は、所定間隔を置いてアクチュエータ３の両側面３ａ，３ａ（図１参照）にそれぞれ突設されおり、該第１及び第２突起部５１，５２の間に補助金具４０のアーム部４２が介在するようになっている。
これにより、第１突起部５１がアーム部４２の上方に突出し、第２突起部５２がアーム部４２の下方に突出した状態になっている。
【００２２】
次に、この実施形態の縦型コネクタの組立並びにフレキシブル基板の接続作業例とその際の動作について説明する。
作業の際には、先ず、図２に示す如く、ハウジング２内に接触子２１を圧入し、次に接触部２２と当接部２５の間を縫う様にしてアクチュエータ３のカム部３３をハウジング２内に挿入し、（図６参照）、更にアーム部４２が第１突起部５１と第２突起部５２との間に介在する如く、補助金具４０をハウジング２内に圧入して（図３参照）、その上で各々のテール部２９，４５を回路基板に半田付けして、縦型コネクタ１を回路基板に取り付ける。
【００２３】
フレキシブル基板の接続作業は、  図２に示す操作部３０を摘んで、アクチュエータ３を前方に回動させると、挿入部３１のカム部３３の角部３６が傾斜部２６上を摺動して、図４に示すように、アクチュエータ３が前方に傾く。
この動作と並行して、アクチュエータ３の第１及び第２突起部５１，５２も一体に回動し、図５に示すように、第２突起部５２が補助金具４０のアーム部４２に下側から係合すると共に、第１突起部５１が係止部４３に係止する。このとき、第１突起部５１の前面５１ａが係止部４３の後面４３ａに当接し、アクチュエータ３の傾斜角が規制される。
【００２４】
かかる状態でフレキシブル基板Ｆをアクチュエータ３の基板挿入口３２に挿入する訳であるが、この作業においてフレキシブル基板Ｆの先端を、スリット３１ｃに狙いを定めて挿入する必要は全くない。何故なら、図１並びに図４から明らかな様に、アクチュエータ３の操作部３０には、側断面略テーパ状を呈する挿入口３２の後面３２ｂがあり、且つ該後面３２ｂが平面部３２ｃと滑らかに連絡しており、しかも該平面部３２ｃが傾けられており、更にこの平面部３２ｃの両サイドには側壁３２ｄが用意してあるので、フレキシブル基板Ｆの先端を上記平面部３２ｃに当接させ、次いで該平面部３２ｃの上を滑らせて行くことによって、極めて簡単に、基板挿入口３２に落とし込むことができるのである。こうしてフレキシブル基板Ｆは、図６に示す様に、カム部３３の前面部３４に沿ってハウジング２内部に進み、ストッパ２ｄに当接してその位置を定めることができる。
【００２５】
最後に、図２に示すように、アクチュエータ３を垂直状態に戻すと、挿入部３１のカム部３３の角部３６が傾斜部２６上を摺動して、後面部３７が頂部２７に乗り上がる。
この動作と並行して、カム部３３の前面部３４がフレキシブル基板Ｆを前方に押圧し、接触子２１の接触部２２に突設された突部２２ａに圧接する。
この結果、フレキシブル基板Ｆと図示しない回路基板とが接触子２１を介して電気的に接続された状態になる。
【００２６】
このように、この実施形態の縦型コネクタ１によれば、フレキシブル基板Ｆの先端部を平面部３２ｃに当てて滑らせるだけで、側壁３２ｄが左右方向のブレを抑えつつテーパ状の基板挿入口３２がフレキシブル基板Ｆをスリット３１ｃに案内するので、レキシブル基板Ｆの縦型コネクタ１への挿入作業が非常に簡単である。この結果、フレキシブル基板Ｆの縦型コネクタ１への挿入及び接続作業を効率的に行うことができる。
しかも、フレキシブル基板Ｆを傾いたアクチュエータ３の基板挿入口３２に挿入する作業であるので、図７に示した従来の縦型コネクタのように、フレキシブル基板Ｆを１８０゜〜２７０゜湾曲させて真上から基板挿入口３２に挿入するのに比べ、フレキシブル基板Ｆあるいはコネクタに作用する応力が極めて小さい。
【００２７】
【発明の効果】
以上詳しく説明したように、この発明の縦型コネクタによれば、アクチュエータを傾けた状態で、フレキシブル基板を基板挿入口に挿入することができるので、
フレキシブル基板の湾曲度合いを和らげることができる。この結果、コネクタ自体やフレキシブル基板に作用する応力を軽減できるという優れた効果がある。
さらに、アクチュエータの基板挿入口が上方に拡開した略テーパ状に形成され、またアクチュエータが傾けられているので、フレキシブル基板の先端を斜めになった平面部に当てつつ、下方へ滑らすことによって簡単にスリットに挿入することができ、この結果、フレキシブル基板をコネクタに接続するための組み付け作業効率を向上させることができるという効果もある。
【図面の簡単な説明】
【図１】この発明の一実施形態に係る縦型コネクタの斜視図である。
【図２】図１の矢視Ａ−Ａ断面図である。
【図３】図１の矢視Ｂ−Ｂ断面図である。
【図４】基板挿入口のフレキシブル基板に対する作用を示す断面図である。
【図５】傾き保持機構のアクチュエータに対する作用を示す断面図である。
【図６】フレキシブル基板が縦型コネクタに挿入された状態を示す断面図である。
【図７】従来例の縦型コネクタを示す断面図である。
【符号の説明】
１…縦型コネクタ、  ２…ハウジング、  ３…アクチュエータ、  ４…傾き保持機構、  ２０…開口部、  ２１…接触子、  ２２…接触部、  ２２ａ，２５ａ…突部、  ２３…ガイド部、  ２５…当接部、  ２６…傾斜部、  ２７…頂部、２９，４５…テール部、  ３０…操作部、  ３１…挿入部、  ３１ｃ…スリット、  ３２…基板挿入口、  ３２ａ，５１ａ…前面、  ３２ｂ，４３ａ…後面、３３…カム部、  ３４…前面部、  ３５…下面部、  ３６…角部、  ３７…後面部、  ３８…上面部、  ４０…補助金具、  ４１…起立部、  ４２…アーム部、  ４３…係止部、  ４４…取付部、  ５１…第１突起部、  ５２…第２突起部、  Ｆ…フレキシブル基板。
【図１】
2005005210.tif 000003
【図２】
2005005210.tif 000004
【図３】
2005005210.tif 000005
【図４】
2005005210.tif 000006
【図５】
2005005210.tif 000007
【図６】
2005005210.tif 000008
【図７】
2005005210.tif 000009